(57)【特許請求の範囲】
【請求項１】
突起状の把手を外面に有する金属フィルターに、前記把手を貫通させた状態で脱着自在に取付けられるフィルターにおいて、
矩形形状を有する本体を備え、
前記本体には、取付け時における前記把手が位置し得る領域であって、前記矩形形状の対向する一辺の一方端から他方端にかけて、前記矩形形状の対向する他辺に対して平行に延びる帯状領域が設けられており、
前記帯状領域の突き刺し強度を、他の領域における突き刺し強度より小さく設定したことを特徴とする、フィルター。
【請求項２】
前記金属フィルターの外面は、対向する一対の一辺と対向する一対の他辺とからなる矩形形状を有すると共に、前記把手は、前記一辺の一方の中央部からわずか内方側に位置しており、
前記フィルターは、前記他辺の各々に対応する幅を有する、不織布よりなる帯状体から切断されて形成され、
前記帯状領域は、前記一辺の前記一方に対する前記帯状体の側縁に対して平行に延びる領域である、請求項１記載のフィルター。
【請求項３】
前記帯状領域は、所定間隔で形成された複数の開口部によって構成される、請求項２記載のフィルター。
【請求項４】
前記所定間隔は、前記把手における前記一辺に沿った方向の長さより小さく設定される、請求項３記載のフィルター。
【請求項５】
前記帯状領域は、ミシン目構造よりなる、請求項３又は請求項４記載のフィルター。
【請求項６】
前記開口部の各々は、切れ目で構成され、
前記切れ目は、前記帯状領域の延びる方向を横切るように形成される、請求項３又は請求項４記載のフィルター。
【請求項７】
切れ目の形状は、前記帯状領域の延びる方向を横切るように形成された半円形状、斜め方向の直線形状又は山型形状である、請求項６記載のフィルター。
【請求項８】
突起状の把手を外面に有する金属フィルターであって、前記外面が、対向する一対の一辺と対向する一対の他辺とからなる矩形形状を有すると共に、前記把手は、前記一辺の一方の中央部からわずか内方側に位置しているものに対して、前記把手を貫通させた状態で脱着自在に取付けられるフィルターの製造方法であって、
前記一辺の前記一方に対する側縁と、他の領域における突き刺し強度より小さい突き刺し強度が設定され、前記側縁に対して平行に延びる帯状領域とを有すると共に、前記他辺の各々に対応する幅を有する、不織布よりなる帯状体を準備する工程と、
前記帯状体を幅方向に切断して、矩形形状を有すると共に、前記矩形形状の一方端から他方端まで延びる前記帯状領域を有する前記フィルターを形成する工程とを含む、フィルターの製造方法。
【発明の詳細な説明】
【技術分野】
【０００１】
この発明はフィルターに関し、特に外面に突起状の把手を有する金属フィルターに脱着自在に取付けられるフィルター及びフィルターの製造方法に関するものである。
【背景技術】
【０００２】
図１１は、一般的なレンジフードのフードの一部を切り欠いた状態の斜視図である。
【０００３】
図を参照して、レンジフード７０は、ブーツ型のフード７１の内側に吸気口７２を備えたものからなる。吸気口７２の開口７３には、吸気口７２の内部に異物が入り込むのを防ぐために、金属フィルター７４が取付けられている。金属フィルター７４の外面は、対向する一対の一辺と対向する一対の他辺とからなる矩形形状を有すると共に、一辺の一方の中央部からわずか内方側に位置する突起状の把手７５を有する。
【０００４】
金属フィルター７４の取付けは、まず、開口７３の下方端部に設けられた下溝７６に、金属フィルター７４の把手７５を有さない側の端部を挿入し、把手７５を掴んで、下溝７６の内側に設けられた図示しない板バネの反発力に抗して、金属フィルター７４を開口７３の下方側に更に押し込む。次に、金属フィルター７４の把手７５を有する側の端部を上溝７７の係止突起７８ａ、７８ｂ及び７８ｃの各々に係合する位置に合わせて、把手７５より手を放す等して、金属フィルター７４を開口７３の下方側に押し込む力を緩める。すると、板バネの反発力により、金属フィルター７４が開口７３の上方側に押し上げられ、金属フィルター７４の把手７５を有する側の端部が上溝７７の係止突起７８ａ、７８ｂ及び７８ｃの各々に係合する。尚、この時金属フィルター７４の把手７５を有さない側の端部は下溝７６に係合したままである。このようにして、金属フィルター７４は、下溝７６と、上溝７７の係止突起７８ａ、７８ｂ及び７８ｃとに保持されて、吸気口７２の開口７３に取付けられる。
【０００５】
ところで、この金属フィルター７４は、レンジフード７０の使用に伴い油等の汚れが付着していき、定期的に洗浄しなければ、レンジフード７０の吸気機能を損なわせるといった問題を有する。そこで、金属フィルター７４の外面に取付ける、容易に取替え可能な以下のようなフィルターが提案されている。
【０００６】
図１２は、図１１で示した金属フィルターに従来のフィルターを取付ける状態を示した斜視図である。
【０００７】
図を参照して、フィルター８１は、金属フィルター７４の他辺の各々に対応する幅を有する、不織布よりなる帯状体８０から所定長さに切断されて形成される。尚、切断を補助するために特許文献１に示されているように、幅方向に縦断するミシン目８２が所定間隔で形成されている。フィルター８１の一方面には、図示しない粘着材が塗布されている。
フィルター８１の取付けは、まず、金属フィルター７４の大きさに合うようにフィルター８１を幅方向に切断する。尚、切断はミシン目８２を介して行うと容易である。次に、フィルター８１の粘着材が塗布されている側の面を金属フィルター７４に押し当てて、フィルター８１を金属フィルター７４に脱着自在に取付ける。
【先行技術文献】
【特許文献】
【０００８】
【特許文献１】特開２００６−１８７７４８号公報
【発明の概要】
【発明が解決しようとする課題】
【０００９】
上記のような従来のフィルターでは、取付時に問題を生じる場合がある。
【００１０】
図１３は、図１１で示した金属フィルターに図１２で示した従来のフィルターを取付けた状態の拡大斜視図である。
【００１１】
図を参照して、把手７５に対向する部分の周囲のフィルター８１が把手７５に押し上げられて、金属フィルター７４から離れている。この状態では、金属フィルター７４を密着状態で覆えずにフィルター８１が機能しない部分が生じるため、フィルター８１の取付けが不十分である。そこで、この状態を解消するために以下の方法が提案されている。
【００１２】
図１４は、図１３で示した“Ｚ”部分に対応する部分の取付過程を示す拡大模式図である。
【００１３】
図１４の（１）を参照して、フィルター８１の把手７５に対向する部分に切れ目８３を入れる。すると、図１４の（２）に示すように、切れ目８３を介してフィルター８１が把手７５の左右に分かれるので、把手７５にフィルター８１が押し上げられることが無く、フィルター８１は金属フィルター７４に密着状態でほぼ全域を覆うことが可能となる。
【００１４】
しかし、フィルター８１を金属フィルター７４に取付ける際にフィルター８１に切れ目８３を入れるのは、手間がかかり扱いにくい。又、フィルター８１は金属フィルター７４の大きさに応じて幅方向に切断されて使用されるため、あらかじめ切れ目８３を入れておいても把手７５の位置と切れ目８３との位置が合わない。
【００１５】
この発明は、上記のような課題を解決するためになされたもので、把手の位置に関わらず取付けが容易となるフィルター及びフィルターの製造方法を提供することを目的とする。
【課題を解決するための手段】
【００１６】
上記の目的を達成するために、請求項１記載の発明は、突起状の把手を外面に有する金属フィルターに、把手を貫通させた状態で脱着自在に取付けられるフィルターにおいて、
矩形形状を有する本体を備え、本体には、取付け時における把手が位置し得る領域であって、矩形形状の対向する一辺の一方端から他方端にかけて、矩形形状の対向する他辺に対して平行に延びる帯状領域が設けられており、帯状領域の突き刺し強度を、他の領域における突き刺し強度より小さく設定したことを特徴とするものである。
【００１７】
このように構成すると、帯状領域において、把手を貫通させるのに要する力が常に小さくなる。
【００１８】
請求項２記載の発明は、請求項１記載の発明の構成において、金属フィルターの外面は、対向する一対の一辺と対向する一対の他辺とからなる矩形形状を有すると共に、把手は、一辺の一方の中央部からわずか内方側に位置しており、フィルターは、他辺の各々に対応する幅を有する、不織布よりなる帯状体から切断されて形成され、帯状領域は、一辺の一方に対する帯状体の側縁に対して平行に延びる領域であるものである。
【００１９】
このように構成すると、帯状体の幅方向への切断位置にかかわらず、帯状領域が常に把手の取付け位置に対応する。
【００２０】
請求項３記載の発明は、請求項２記載の発明の構成において、帯状領域は、所定間隔で形成された複数の開口部によって構成されるものである。
【００２１】
このように構成すると、開口部の大きさや間隔によって突き刺し強度を調整できる。
【００２２】
請求項４記載の発明は、請求項３記載の発明の構成において、所定間隔は、把手における一辺に沿った方向の長さより小さく設定されるものである。
【００２３】
このように構成すると、いずれかの開口部の少なくとも１つは、把手の位置に必ず対向する。
【００２４】
請求項５記載の発明は、請求項３又は請求項４記載の発明の構成において、帯状領域は、ミシン目構造よりなるものである。
【００２５】
このように構成すると、開口部の形成が容易となる。
【００２６】
請求項６記載の発明は、請求項３又は請求項４記載の発明の構成において、開口部の各々は、切れ目で構成され、切れ目は、帯状領域の延びる方向を横切るように形成されるものである。
【００２７】
このように構成すると、切れ目の各々は同一直線上に位置しないので、１つの切れ目の拡大による隣接の切れ目に与える影響が少なくなる。
請求項７記載の発明は、請求項６記載の発明の構成において、切れ目の形状は、帯状領域の延びる方向を横切るように形成された半円形状、斜め方向の直線形状又は山型形状であるものである。
このように構成すると、切れ目の始点及び終点が同一直線上に位置しないような構成が容易に得られる。
請求項８記載の発明は、突起状の把手を外面に有する金属フィルターであって、外面が、対向する一対の一辺と対向する一対の他辺とからなる矩形形状を有すると共に、把手は、一辺の一方の中央部からわずか内方側に位置しているものに対して、把手を貫通させた状態で脱着自在に取付けられるフィルターの製造方法であって、一辺の一方に対する側縁と、他の領域における突き刺し強度より小さい突き刺し強度が設定され、側縁に対して平行に延びる帯状領域とを有すると共に、他辺の各々に対応する幅を有する、不織布よりなる帯状体を準備する工程と、帯状体を幅方向に切断して、矩形形状を有すると共に、矩形形状の一方端から他方端まで延びる帯状領域を有するフィルターを形成する工程とを含むものである。
このように構成すると、帯状体の幅方向への切断位置にかかわらず、帯状領域が常に把手の取付け位置に対応するフィルターを形成できる。
【発明の効果】
【００２８】
以上説明したように、請求項１記載の発明は、帯状領域において、把手を貫通させるのに要する力が常に小さくなるので、把手の位置に関わらず取付けが容易となる。
【００２９】
請求項２記載の発明は、請求項１記載の発明の効果に加えて、帯状体の幅方向への切断位置にかかわらず、帯状領域が常に把手の取付け位置に対応するので、安定した把手への取付けが可能となる。
【００３０】
請求項３記載の発明は、請求項２記載の発明の効果に加えて、開口部の大きさや間隔によって突き刺し強度を調整できるので、把手の大きさに応じての調整が容易となる。
【００３１】
請求項４記載の発明は、請求項３記載の発明の効果に加えて、いずれかの開口部の少なくとも１つは、把手の位置に必ず対向するので、帯状領域の突き刺し強度のばらつきが小さくなる。
【００３２】
請求項５記載の発明は、請求項３又は請求項４記載の発明の効果に加えて、開口部の形成が容易となるので、コスト的に有利なフィルターとなる。
【００３３】
請求項６記載の発明は、請求項３又は請求項４記載の発明の効果に加えて、切れ目の各々は同一直線上に位置しないので、１つの切れ目の拡大による隣接の切れ目に与える影響が少なくなるので、フィルターの取付け状態が安定する。
請求項７記載の発明は、請求項６記載の発明の効果に加えて、切れ目の始点及び終点が同一直線上に位置しないような構成が容易に得られるため、フィルターの取付け状態が安定する構成が容易に得られる。
請求項８記載の発明は、帯状体の幅方向への切断位置にかかわらず、帯状領域が常に把手の取付け位置に対応するフィルターを形成できるため、効率よくフィルターを形成できる。
【図面の簡単な説明】
【００３４】
【図１】この発明の第１の実施の形態によるフィルターの概略形状を示した斜視図である。
【図２】図１で示したフィルターを金属フィルターに取付ける状態を示した斜視図である。
【図３】図２で示した金属フィルターに図１で示したフィルターを取付けた状態の拡大斜視図である。
【図４】図３で示した“Ｖ”部分の取付過程を示す拡大模式図である。
【図５】図２で示した金属フィルターにこの発明の第２の実施の形態によるフィルターを取付けた状態の拡大斜視図であって、第１の実施の形態の図３に対応する図である。
【図６】図５で示した“Ｗ”部分の取付過程を示す拡大模式図であって、第１の実施の形態の図４に対応する図である。
【図７】図２で示した金属フィルターにこの発明の第３の実施の形態によるフィルターを取付けた状態の拡大斜視図であって、第１の実施の形態の図３に対応する図である。
【図８】図７で示した“Ｘ”部分の取付過程を示す拡大模式図であって、第１の実施の形態の図４に対応する図である。
【図９】図２で示した金属フィルターにこの発明の第４の実施の形態によるフィルターを取付けた状態の拡大斜視図であって、第１の実施の形態の図３に対応する図である。
【図１０】図９で示した“Ｙ”部分の取付過程を示す拡大模式図であって、第１の実施の形態の図４に対応する図である。
【図１１】一般的なレンジフードのフードの一部を切り欠いた状態の斜視図である。
【図１２】図１１で示した金属フィルターに従来のフィルターを取付ける状態を示した斜視図である。
【図１３】図１１で示した金属フィルターに図１２で示した従来のフィルターを取付けた状態の拡大斜視図である。
【図１４】図１３で示した“Ｚ”部分に対応する部分の取付過程を示す拡大模式図である。
【発明を実施するための形態】
【００３５】
図１は、この発明の第１の実施の形態によるフィルターの概略形状を示した斜視図であり、図２は、図１で示したフィルターを金属フィルターに取付ける状態を示した斜視図であり、図３は、図２で示した金属フィルターに図１で示したフィルターを取付けた状態の拡大斜視図であり、図４は、図３で示した“Ｖ”部分の取付過程を示す拡大模式図である。
【００３６】
まず、図２を参照して、金属フィルター７４は、レンジフード７０の吸気口７２の開口７３に取付けられ、外面が対向する一対の一辺と対向する一対の他辺とからなる矩形形状を有すると共に、一辺の一方の中央部からわずか内方側に位置する円柱突起状の把手７５を有する。尚、把手７５の金属フィルター７４の一辺に沿った方向の長さ（直径：図４におけるＬ）は、１ｃｍ程度に設定されている。
【００３７】
次に、図１及び図２を参照して、フィルター１１は、金属フィルター７４の他辺の各々に対応する幅を有する、不織布よりなる帯状体１０から切断されて形成される。尚、フィルター１１の一方面には、図示しない粘着材が塗布されている。
【００３８】
フィルター１１を形成する帯状体１０は、フィルター１１の取付け時に把手７５が位置しうる領域である、金属フィルター７４の一辺の一方に対する帯状体１０の側縁に対して平行に延びる帯状領域１２が、ミシン目構造よりなるものである。ミシン目構造とは、直線上又は曲線上にその始点及び終点が位置する切れ目又は細長い孔よりなる開口部１３が所定間隔で形成されたものを意味する。すなわち、帯状体１０から形成されるフィルター１１は、取付け時における把手７５が位置しうる帯状領域１２の突き刺し強度が、他の領域における突き刺し強度より小さく設定されたものとなる。
【００３９】
このように構成すると、後述する把手７５がフィルター１１を貫通する時に、把手７５を貫通させるのに要する力が常に小さくなるので、把手７５の位置に関わらず取付けが容易となる。
【００４０】
又、帯状体１０の幅方向への切断位置にかかわらず、フィルター１１の帯状領域１２が常に把手７５の取付け位置に対応するものとなっているので、安定した把手７５への取付けが容易となる。
【００４１】
尚、ミシン目構造は、上述のように所定間隔で形成された複数の開口部１３によって構成される。このように構成すると、開口部１３の形成が容易となるので、コスト的に有利なフィルター１１となる。又、開口部１３の大きさや間隔によって突き刺し強度を調整できるので、把手７５の大きさに応じての調整が容易となる。
【００４２】
開口部１３の各々の間隔Ｄは、図４の（１）に示されているように、把手７５の金属フィルター７４の一辺に沿った方向の長さＬより小さい間隔に設定されている。このように構成すると、いずれかの開口部１３の少なくとも１つは、把手７５の位置に必ず対向するので、帯状領域１２の突き刺し強度のばらつきが小さくなる。
【００４３】
フィルター１１の取付けは、まず図２を参照して、金属フィルター７４の大きさに合うようにフィルター１１を幅方向に切断する。次に、フィルター１１の粘着材が塗布されている側の面を金属フィルター７４に当てる。すると、上述のように、開口部１３の各々の間隔は、把手７５における金属フィルター７４の一辺に沿った方向の長さより小さく設定されているから、必ず把手７５に開口部１３の１つが対向する。この状態で、フィルター１１を金属フィルター７４に押し当てると、把手７５が対向する開口部１３を押し広げる。そして図４の（２）に示すように、開口部１３及びその周りの部分を介して、把手７５が容易にフィルター１１を貫通する。すると、図３に示すように、フィルター１１は、把手７５を貫通させた状態で金属フィルター７４に脱着自在に取付けられる。このようにすると、把手７５に対向する部分の周囲のフィルター１１が把手７５に押し上げられて金属フィルター７４から離れることが無い。又、フィルター１１はその一部を把手７５に貫通された状態で金属フィルター７４に取付けられるから、金属フィルター７４へのフィルター１１の取付け状態が安定する。
【００４４】
図５は、図２で示した金属フィルターにこの発明の第２の実施の形態によるフィルターを取付けた状態の拡大斜視図であって、第１の実施の形態の図３に対応する図であり、図６は、図５で示した“Ｗ”部分の取付過程を示す拡大模式図であって、第１の実施の形態の図４に対応する図である。
【００４５】
これらの図を参照して、第１の実施の形態によるフィルター１１において、帯状領域１２が、所定間隔で形成される、帯状領域１２の延びる方向（図６において左右方向）を横切るように形成された複数の半円形状の切れ目１４によって構成されたものに置き換えられている。尚、所定の値に設定される切れ目１４の間隔Ｄとは、隣接する切れ目１４同士における、帯状領域１２の延びる方向での間隔を指す。間隔Ｄは、把手７５の金属フィルター７４の一辺に沿った方向の長さＬより小さい間隔に設定されている。このように構成すると、切れ目１４の各々は同一直線状に位置しないので、図５の（１）及び（２）に示すように、把手７５を貫通させる際に生じる把手７５に対向する１つの切れ目１４ａの拡大による隣接の切れ目１４ｂ及び１４ｃに与える影響が少なくなる。よって、フィルター１１の取付け状態が安定する。
【００４６】
図７は、図２で示した金属フィルターにこの発明の第３の実施の形態によるフィルターを取付けた状態の拡大斜視図であって、第１の実施の形態の図３に対応する図であり、図８は、図７で示した“Ｘ”部分の取付過程を示す拡大模式図であって、第１の実施の形態の図４に対応する図である。
【００４７】
これらの図を参照して、第１の実施の形態によるフィルター１１において、帯状領域１２が、所定間隔で形成される、帯状領域１２の延びる方向（図８において左右方向）を横切るように斜めに形成された複数の直線形状の切れ目１５によって構成されたものに置き換えられている。尚、所定の値に設定される切れ目１５の間隔Ｄとは、隣接する切れ目１５同士における、帯状領域１２の延びる方向での間隔を指す。間隔Ｄは、把手７５の金属フィルター７４の一辺に沿った方向の長さＬより小さい間隔に設定されている。このように構成すると、切れ目１５の各々は同一直線状に位置しないので、図８の（１）及び（２）に示すように、把手７５を貫通させる際に生じる把手７５に対向する１つの切れ目１５ａの拡大による隣接の切れ目１５ｂ及び１５ｃに与える影響が少なくなるので、フィルター１１の取付け状態が安定する。
【００４８】
図９は、図２で示した金属フィルターにこの発明の第４の実施の形態によるフィルターを取付けた状態の拡大斜視図であって、第１の実施の形態の図３に対応する図であり、図１０は、図９で示した“Ｙ”部分の取付過程を示す拡大模式図であって、第１の実施の形態の図４に対応する図である。
【００４９】
これらの図を参照して、第１の実施の形態によるフィルター１１において、帯状領域１２が、所定間隔で形成される、帯状領域１２の延びる方向（図１０において左右方向）を横切るように形成された複数の山型形状の切れ目１６によって構成されたものに置き換えられている。尚、所定の値に設定される切れ目１６の間隔Ｄとは、隣接する切れ目１６同士における、帯状領域１２の延びる方向での間隔を指す。間隔Ｄは、把手７５の金属フィルター７４の一辺に沿った方向の長さＬより小さい間隔に設定されている。このように構成すると、切れ目１６の各々は同一直線状に位置しないので、図１０の（１）及び（２）に示すように、把手７５を貫通させる際に生じる把手７５に対向する１つの切れ目１６ａの拡大による隣接の切れ目１６ｂ及び１６ｃに与える影響が少なくなるので、フィルター１１の取付け状態が安定する。
【００５０】
尚、上記の各実施の形態では、帯状領域が所定間隔で形成された複数の開口部によって構成されることにより、帯状領域の突き刺し強度を他の領域の突き刺し強度より小さく設定していたが、例えば、帯状領域のみ他の領域より目付を低くする等して、他の領域の突き刺し強度より帯状領域の突き刺し強度を小さく設定してもよい。
【００５１】
又、上記の各実施の形態では、帯状領域の突き刺し強度を他の突き刺し強度より小さく設定していたが、取付け時における把手が位置しうる領域の突き刺し強度を、他の領域における突き刺し強度より小さく設定していればよく、帯状領域に限らない。
【００５２】
更に、上記の各実施の形態では、開口部の各々の間隔が、把手における金属フィルターの一辺に沿った方向の長さより小さく設定されていたが、その長さよりも大きく設定されていてもよい。
【００５３】
更に、上記の第１の実施の形態では、帯状領域はミシン目構造よりなるものであったが、所定間隔で形成された複数の円形の開口部によって構成されるものであってもよい。
【００５４】
更に、上記の第２の実施の形態、第３の実施の形態及び第４の実施の形態では、帯状領域を構成するそれぞれの切れ目の形状は、半円形状、斜め方向の直線形状、山型形状であったが、帯状領域の延びる方向を横切るように形成されていれば、他の形状であってもよい。
【００５５】
更に、上記の各実施の形態では、金属フィルターは矩形形状を有するものであったが、それ以外の形状を有するものであってもよく、フィルターも金属フィルターの形状に対応して矩形形状以外の形状を有するものであってもよい。
【００５６】
更に、上記の各実施の形態では、把手は、金属フィルターの一辺の一方の中央部からわずか内方側に位置していたが、他の位置に位置していてもよい。
【００５７】
更に、上記の各実施の形状では、把手は、円柱状のものであったが、それ以外の形状のもの、例えば側面視略Ｌ字形状であって平面視略矩形形状のものなどであってもよい。その場合、開口部の所定間隔は、金属フィルターの一辺に沿った方向における把手の一方端部から他方端部への長さより小さく設定すれば良い。又、把手は、金属フィルターより突出する円柱の端部に円柱の直径よりも大きな直径を有する円板が接続した、側面視略Ｔ字形状のものなどであってもよい。その場合、開口部の所定間隔は、円板の直径より小さく設定すれば良い。
【符号の説明】
【００５８】
１０…帯状体
１１…フィルター
１２…帯状領域
１３…開口部
１４ａ、１４ｂ、１４ｃ…切れ目
１５ａ、１５ｂ、１５ｃ…切れ目
１６ａ、１６ｂ、１６ｃ…切れ目
７４…金属フィルター
７５…把手
尚、各図中同一符号は同一又は相当部分を示す。
【図１】
0005798379.tif 000002
【図２】
0005798379.tif 000003
【図３】
0005798379.tif 000004
【図４】
0005798379.tif 000005
【図５】
0005798379.tif 000006
【図６】
0005798379.tif 000007
【図７】
0005798379.tif 000008
【図８】
0005798379.tif 000009
【図９】
0005798379.tif 000010
【図１０】
0005798379.tif 000011
【図１１】
0005798379.tif 000012
【図１２】
0005798379.tif 000013
【図１３】
0005798379.tif 000014
【図１４】
0005798379.tif 000015